(57)【要約】【課題】本発明は、紐状部材を留める紐状部材用留め具に関する【解決手段】紐状部材２に移動自在に取り付けられる紐状部材用留め具であって、前記紐状部材２の外径と同一又は略同一の内径を有する第一貫通孔１１ａ、１１ｂを有し、軟質な弾性変形可能な部材で形成された留め具本体１０と、前記紐状部材２の外径と同一又は略同一の内径を有する第二貫通孔２２を有し、軟質な弾性変形可能な部材で形成された留め具従体２０とからなり、前記留め具本体１０と前記留め具従体２０とは、着脱自在である係合手段として、第一係合手段１１ｆ、２１６、３１１ｆ及び第二係合手段２０ｍ、２２４、３２０ｍを備えており、前記留め具本体１０と前記留め具従体２０とは係合した状態で、前記紐状部材２の所定の位置で弾性力によって固定でき、かつ、前記留め具本体１０と前記留め具従体２０との間の紐状部材２をまとめることができることを特徴とする。【選択図】図２
2014188172.tif 000002
【特許請求の範囲】
【請求項１】
紐状部材（２）に移動自在に取り付けられる紐状部材用留め具であって、
前記紐状部材（２）の外径と同一又は略同一の内径を有する第一貫通孔（１１ａ、１１ｂ）を有し、軟質な弾性変形可能な部材で形成された留め具本体（１０）と、
前記紐状部材（２）の外径と同一又は略同一の内径を有する第二貫通孔（２２）を有し、軟質な弾性変形可能な部材で形成された留め具従体（２０）とからなり、
前記留め具本体（１０）と前記留め具従体（２０）とは、着脱自在である係合手段として、第一係合手段（１１ｆ、２１６、３１１ｆ）及び第二係合手段（２０ｍ、２２４、３２０ｍ）を備えており、
前記留め具本体（１０）と前記留め具従体（２０）とは係合した状態で、前記紐状部材（２）の所定の位置で弾性力によって固定でき、かつ、前記留め具本体（１０）と前記留め具従体（２０）との間の紐状部材（２）をまとめることができる
ことを特徴とする紐状部材用留め具。
【請求項２】
請求項１に記載された紐状部材用留め具において、
前記第一係合手段は、前記留め具本体（１０）の一部を切り欠いて凹状に形成された係合雌部（１１ｆ）であり、
前記第二係合手段は、前記係合雌部（１１ｆ）に嵌め込むことができるように、前記留め具従体から突出する凸状に形成された係合雄部（２０ｍ）である
ことを特徴とする紐状部材用留め具。
【請求項３】
請求項１に記載された紐状部材用留め具において、
前記第一係合手段は、前記留め具本体（２１０）の一部に延びるように棒状に形成された係合棒（２１６）であり、
前記第二係合手段は、前記係合棒に引っ掛けることができるように、前記留め具従体（２２０）の一部を切り欠いて形成された鉤状の係合鉤部（２２２）である
ことを特徴とする紐状部材用留め具。
【請求項４】
請求項１に記載された紐状部材用留め具において、
前記第一係合手段は、前記留め具本体の一部を穿孔するように形成された、被係止孔（３１１ｆ）であり、
前記第二係合手段は、前記被係止孔に差し込むことができるように、前記留め具従体から突出する凸状に形成された係止突起（３２０ｍ）である
押し引き連結
ことを特徴とする紐状部材用留め具。
【請求項５】
請求項１〜４のいずれか１項に記載された紐状部材用留め具において、
前記留め具本体には、前記留め具従体の外形の形状の全部又は一部に合わせて形成され、前記留め具従体を収納できる収納部（２１１）が設けられた
ことを特徴とする紐状部材用留め具。
【請求項６】
請求項１〜５のいずれか１項に記載された紐状部材用留め具において、
前記軟質な材料は、合成樹脂、エラストマー、ゴムから選択される１種以上で形成されている
ことを特徴とする紐状部材用留め具。
【発明の詳細な説明】
【技術分野】
【０００１】
本発明は、紐を留めるための紐状部材用留め具に関する。更に詳しくは、衣類、鞄、靴及びイヤホンのコード等の紐状部材を留めるための紐状部材用留め具に関する。
【背景技術】
【０００２】
紐状部材用留め具は、従来から様々な場面で使用されているものが知られている。紐状部材用留め具は、衣服の首回り、胴回り、袖口等に挿通されている紐状部材に取り付けられ、紐状部材を任意の長さに調節し、衣服等のサイズを調節する部材である。紐状部材用留め具は、帽子、手袋、鞄又は靴等に取り付けられた紐状部材にも取り付けられ、同様に使用されている。紐状部材用留め具は、紐状部材が引出自在であるとともに、使用者の好みの位置で紐状部材に固定できるように構成されている。このため、使用者は、紐状部材用留め具より紐状部材を引き出して、衣服等のサイズを調節することで、好みの締め具合に調節できる。
【０００３】
紐状部材用留め具の紐状部材は、使用者の異なる身体に合わせるため、また、締め具合を使用者の好みに合わせることができるように、長めに用意されているものが多い。しかし、使用者は、紐状部材用留め具より引き出された紐状部材が長いと様々なものに絡まってしまうおそれがあった。紐状部材用留め具より引き出された紐状部材が大きな輪状にされて垂れ下がっていると、様々なものに絡まってしまい、特に子供は、思わぬ危険に遭遇してしまうおそれがあった。また、使用者によっては、長めに用意された紐状部材がぶらぶらと垂れ下がっている状態が気になる人もいる。
【０００４】
また、紐状部材用留め具は、携帯音楽プレイヤー等のイヤホンのコード等にも取り付けられて利用されている。紐状部材用留め具は、衣服等に取り付けられ、紐状部材用留め具から携帯音楽プレイヤーまでのコードの長さ、紐状部材用留め具からイヤホンまでのコードの長さを調節するために利用される。このように利用される場合でも、紐状部材用留め具より引き出された紐状部材が弛んでいると様々なものに絡まってしまうおそれがあった。これらのことから、紐状部材用留め具には、さまざまな提案がなされているが、特許文献を基に、従来の技術を説明する。
【０００５】
紐用留め具に止めた紐状体を動かすときに初動時の抵抗が少なくできるようにした構造の紐用留め具に関する技術が知られている（例えば、特許文献１参照）。紐用留め具から引き出されて外へ伸びている紐の導出部分が長くなっても、紐の導出部分及びストッパーが邪魔になることなく、使い勝手及び外観処理的に優れた紐止用バックルに関する技術が知られている（例えば、特許文献２参照）。
【先行技術文献】
【特許文献】
【０００６】
【特許文献１】特許第４４６０６２４号公報
【特許文献２】特開２０００−３００３１０号公報
【発明の概要】
【発明が解決しようとする課題】
【０００７】
しかしながら、特許文献１に示された紐用留め具では、引き出された紐状体が長いままであり、さまざまなものに絡まってしまうおそれがあった。また、特許文献２に示された紐止用バックルは、まとめた紐である導出部分４１ａが、比較的大きい輪状の形状しかとれないため様々なものに絡まってしまうおそれがあった。
【０００８】
また、紐止用バックルは、ストッパー２０が  紐４１に固定されているため、導出部分４１ａが一定の形状しかとれず、意匠性に乏しいという問題点があった。さらに、紐止用バックルは、構造が複雑であり、使用者は、容易に紐用留め具とストッパーの着脱ができないという問題点があった。さらに、構造が複雑な紐止用バックルは、加工工程が多いため、製造コストが上昇してしまう問題点があった。
【０００９】
本発明は、このような社会的、技術的背景に基づいてなされたものであり、次のような目的を達成する。本発明の目的は、引き出された紐状部材を、様々なものに絡まりにくい形状にまとめることができる紐状部材用留め具を提供することにある。本発明の他の目的は、まとめた紐状部材の形状を、様々な形状にすることができる意匠性に優れた紐状部材用留め具を提供することにある。本発明の他の目的は、軟質素材で製造されて着脱作業が容易な紐状部材用留め具を提供することにある。
【課題を解決するための手段】
【００１０】
本発明は、前記目的を達成するために次の手段をとる。
本発明１の紐状部材用留め具は、紐状部材に移動自在に取り付けられる紐状部材用留め具であって、  前記紐状部材の外径と同一又は略同一の内径を有する第一貫通孔を有し、軟質な弾性変形可能な部材で形成された留め具本体と、前記紐状部材の外径と同一又は略同一の内径を有する第二貫通孔を有し、軟質な弾性変形可能な部材で形成された留め具従体とからなり、前記留め具本体と前記留め具従体とは、着脱自在である係合手段として、第一係合手段及び第二係合手段を備えており、前記留め具本体と前記留め具従体とは係合した状態で、前記紐状部材の所定の位置で弾性力によって固定でき、かつ、前記留め具本体と前記留め具従体との間の紐状部材をまとめることができることを特徴とする。
【００１１】
本発明２の紐状部材用留め具は、本発明１において、前記第一係合手段は、前記留め具本体の一部を切り欠いて凹状に形成された係合雌部であり、前記第二係合手段は、前記係合雌部に嵌め込むことができるように、前記留め具従体から突出する凸状に形成された係合雄部であることを特徴とする。
【００１２】
本発明３の紐状部材用留め具は、本発明１において、前記第一係合手段は、前記留め具本体の一部に延びるように棒状に形成された係合棒であり、前記第二係合手段は、前記係合棒に引っ掛けることができるように、前記留め具従体の一部を切り欠いて形成された鉤状の係合鉤部であることを特徴とする。
【００１３】
本発明４の紐状部材用留め具は、本発明１において、前記第一係合手段は、前記留め具本体の一部を穿孔するように形成された、被係止孔であり、前記第二係合手段は、前記被係止孔に差し込むことができるように、前記留め具従体から突出する凸状に形成された係止突起であることを特徴とする。
【００１４】
本発明５の紐状部材用留め具は、本発明１〜４のいずれかにおいて、前記留め具本体には、前記留め具従体の外形の形状の全部又は一部に合わせて形成され、前記留め具従体を収納できる収納部が設けられたことを特徴とする。
【００１５】
本発明６の紐状部材用留め具は、本発明１〜５のいずれかにおいて、前記軟質な材料は、合成樹脂、エラストマー、ゴムから選択される１種以上で形成されていることを特徴とする。
【発明の効果】
【００１６】
以上説明したように、本発明の紐状部材用留め具を使用すると、まとめた紐状部材が、様々なものに絡みにくくなる。また、本発明の紐状部材用留め具を使用すると、まとめた紐状部材が様々な形状をとることができ、意匠性に優れるようになる。さらに、本発明の紐状部材用留め具は、軟質素材で製造されているため着脱作業が容易になる。
【図面の簡単な説明】
【００１７】
【図１】図１は、本発明の実施の形態１の紐状部材用留め具１を示す図であって、パーカーの衿の紐状部材に取り付けた状態を示す外観図である。
【図２】図２は、実施の形態１の紐状部材用留め具１の正面図である。
【図３】図３は、図２をＡ−Ａ線で切断した断面図である。
【図４】図４は、紐状部材用留め具１に挿通している引出し紐２Ｂが対称になるようにまとめる手順を示す説明図である。
【図５】図５は、紐状部材用留め具１に挿通している引出し紐２Ｂが対称にならないようにまとめた状態を示す説明図である。
【００１８】
【図６】図６は、本発明の実施の形態２の紐状部材用留め具２０１の正面図である。
【図７】図７は、図６をＢ−Ｂ線で切断した断面図である。
【図８】図８は、紐状部材用留め具２０１に挿通している引出し紐２Ｂが対称になるようにまとめる手順を示す説明図である。
【図９】図９は、留め具本体２１０と留め具従体２２０を係合させる状態を示す説明図である。
【図１０】図１０は、紐状部材用留め具２０１に挿通している引出し紐２Ｂが対称にならないようにまとめた状態を示す説明図である。
【図１１】図１１は、実施の形態３の紐状部材用留め具の形態を示す正面図である。
【発明を実施するための形態】
【００１９】
〔実施の形態１〕
本発明の実施の形態１を図面に基づいて詳細に説明する。図１は、本発明の実施の形態１の紐状部材用留め具１を示す図であって、パーカー１００の衿の紐２に取り付けた状態を示す外観図である。図２は、実施の形態１の紐状部材用留め具１の正面図である。図３は、図２をＡ−Ａ線で切断した断面図である。図４は、紐状部材用留め具１に挿通している引出し紐２Ｂが対称になるようにまとめる手順を示す説明図である。
【００２０】
図５は、紐状部材用留め具１に挿通している引出し紐２Ｂが対称にならないようにまとめた状態を示す説明図である。なお図２に示すように、矢印Ｕが示す方向を「上方向」とし、その逆方向を示す矢印Ｄが示す方向を「下方向」として説明する。また、矢印Ｒが示す方向を「右方向」とし、その逆方向を示す矢印Ｌが示す方向を「左方向」として説明をする。
【００２１】
実施の形態１では、パーカーの衿のサイズを調節する紐２に取り付けられる紐状部材用留め具１について説明をする。図１に示すように、パーカー１００には、衿の部分を沿うように形成された紐通し穴１０１に紐２が挿通されている。紐２は、衿のサイズを調節する紐状部材であり、丸紐等の周知の紐状部材がパーカー１００に取り付けられている。紐２は、紐通し穴１０１の長さより長い輪状にされて垂れ下がっており、紐通し穴１０１より出ている部分に紐状部材用留め具１が取り付けられている。
【００２２】
紐状部材用留め具１は、図４に示すように、紐２の引出し紐２Ｂの長さを調節することで衿のサイズを調節するものであり、図２に示すように、留め具本体１０と留め具従体２０とから構成されている。留め具本体１０及び留め具従体２０は、本例では軟質な弾性変形可能なシリコーン樹脂で形成されている。留め具本体１０は、図２に示すように、対称軸Ｌ１を基準に左右対称の略台形形状に形成され、図３に示すように、所定の厚みを有している。
【００２３】
図２に示すように、留め具本体１０には、紐２の外径よりやや小径に形成されている貫通孔１１ａ、１１ｂが形成されている。貫通孔１１ａ、１１ｂは、留め具本体１０が弾性変形することで径が拡がる。２つの貫通孔１１ａ、１１ｂは、対称軸Ｌを中心に左右対称に留め具本体１０に形成され、上方向から下方向にかけて留め具本体１０を貫通している。貫通孔１１ａ、１１ｂには、紐２が挿通されており、留め具本体１０と紐２とは、摩擦力、弾性力により相互に保持されて固定される。また、留め具本体１０より紐２を所定以上の力で引っ張ると、留め具本体１０が弾性変形し、貫通孔１１ａ、１１ｂより紐２を引き出すことができる。
【００２４】
つまり、留め具本体１０は、貫通孔１１ａ、１１ｂに挿通された紐２に沿って移動できるとともに、紐２の所定の位置に固定することができる。図２に示すように、留め具本体１０の下方向側には、貫通孔１１ａと貫通孔１１ｂとの間に位置するように、係合雌部１１ｆが形成されている。係合雌部１１ｆは、留め具本体１０の下方向側を湾状に切り欠いて形成されている。
【００２５】
図４（ａ）又は図４（ｂ）に示すように、紐２は、貫通孔１１ａ及び貫通孔１１ｂに挿通され、留め具本体１０を基準に輪状の締め紐２Ａと輪状の引出し紐２Ｂを形成する。留め具本体１０は、図４（ａ）〜（ｃ）に示すように、紐２に沿って移動することができ、紐２の所定の位置で固定することができるため、締め紐２Ａと引出し紐２Ｂの輪状の大きさを調節することができる。
【００２６】
締め紐２Ａは、図１に示すように、紐通し穴１０１に挿通されており、衿のサイズを調節する。図４（ａ）に示すように、留め具本体１０より引出し紐２Ｂが引き出されていないときは、締め紐２Ａの輪状が大きくなっている。この状態のとき、衿のサイズが大きくなるため、衿の首回りに対する締め具合が緩くなっている。また、図４（ｂ）に示すように、留め具本体１０より引出し紐２Ｂが引き出されると、締め紐２Ａの輪状が小さくなる。この状態のとき、衿のサイズが小さくなるため、衿の首回りに対する締め具合がきつくなる。
【００２７】
留め具従体２０は、図２に示すように、対称軸Ｌを基準に左右対称に形成され、図３に示すように、所定の厚みを有している。留め具従体２０は、図２に示すように、大きさの異なる略楕円形を上下に積み重ねた略だるま形状に形成されている。留め具従体２０は、図２に示すように、上方向側に小径の係合雄部２０ｍを備え、下方向側に大径の摘み部２１を備えている。留め具従体２０には、紐２の外径よりやや小径に形成されている貫通孔２２が形成されている。貫通孔２２は、留め具従体２０が弾性変形することで径が拡がる。
【００２８】
貫通孔２２は、図２に示すように、摘み部２１に形成され、右方向から左方向にかけて留め具従体２０を貫通している。図２に示すように、貫通孔２２には、紐２が挿通されており、留め具従体２０と紐２とは、摩擦力、弾性力により相互に保持されて固定される。また、留め具従体２０より紐２を所定以上の力で引っ張ると、留め具従体２０が弾性変形し、貫通孔２２より紐２を引き出すことができる。留め具従体２０は、図４（ａ）〜（ｃ）に示すように、引出し紐２Ｂの範囲内で紐２に沿って移動することができ、紐２の所定の位置で固定することができる。
【００２９】
留め具従体２０には、図２に示すように、摘み部２１の上方向側から突出するように係合雄部２０ｍが形成されている。係合雄部２０ｍは、係合雌部１１ｆに弾性変形することにより嵌め込むことができるように、係合雌部１１ｆの内径寸法と同一又は略同一の外径寸法を備えている。図４（ａ）に示すように、留め具従体２０は、留め具本体１０から引き出された引出し紐２Ｂ側に取り付けられる。
【００３０】
〔実施の形態１の紐状部材用留め具１の使用方法〕
次に、図４及び５に基づいて、紐状部材用留め具１の使用方法について説明する。紐状部材用留め具１は、通常、図１に示すように、紐通し穴１０１に挿通された紐２に取り付けられて使用される。紐状部材用留め具１は、貫通孔１１ａ、貫通孔１１ｂ及び貫通孔２２に紐２が挿通されて取り付けられている。
【００３１】
紐状部材用留め具１は、図４（ａ）に示すように、係合雌部１１ｆに係合雄部２０ｍが嵌め込まれ、留め具従体２０が留め具本体１０に取り付けられている。この状態のとき、引出し紐２Ｂはほとんど引き出されていない状態であり、締め紐２Ａの輪状が大きくなっている。また、衿のサイズが大きくなるため、衿の首回りに対する締め具合が緩い状態である。
【００３２】
使用者が、衿のサイズを小さく調節して、衿の首回り対する締め具合をきつくするときは、まず、係合雌部１１ｆから係合雄部２０ｍを取り外し、留め具従体２０を留め具本体１０より取り外す。次に、一方の手で留め具本体１０を摘み、他方の手で留め具従体２０を摘み、留め具従体２０を留め具本体１０より引き離す。このとき、図４（ｂ）に示すように、留め具従体２０と共に紐２を引き出し、引出し紐２Ｂの輪状を大きくする。引出し紐２Ｂの輪状が大きくされると、締め紐２Ａの輪状が小さくなり、衿のサイズが小さくなり、衿の首回りに対するを締め付け具合がきつくなる（図示せず）。
【００３３】
留め具従体２０は、図４（ｂ）に示すように、引出し紐２Ｂ上において留め具本体１０の真下に位置するように配置する。図４（ｃ）に示すように、引出し紐２Ｂが引き出された状態で、係合雄部２０ｍを係合雌部１１ｆに嵌め込み、留め具従体２０を留め具本体１０に取り付ける。図４（ｃ）に示すように、まとめられた引出し紐２Ｂは、対称の輪状を形成する。紐状部材用留め具１は、引出し紐２Ｂを小さくまとめることができるため、紐２が様々なものに絡みにくくなる。
【００３４】
なお、図５に示すように、引出し紐２Ｂが、対称にならないようにまとめても良い。まず、留め具本体１０から留め具従体２０と共に紐２を引き出し、引出し紐２Ｂの輪状を大きくする（図４（ｂ）参照）。留め具従体２０を移動して、図５（ａ）に示すように、引出し紐２Ｂ上の任意の位置に配置する。図５（ｂ）に示すように、引出し紐２Ｂが引き出された状態で、係合雄部２０ｍを係合雌部１１ｆに嵌め込み、留め具従体２０を留め具本体１０に取り付ける。
【００３５】
図５（ｂ）に示すように、引出し紐２Ｂは、大小異なる輪状にまとめられる。このように、紐状部材用留め具１は、使用者の好みに合わせて、引出し紐２Ｂを異なる形状に選択することができ、意匠の選択の幅が広がり、意匠性が向上する。
【００３６】
〔実施の形態２〕
本発明の実施の形態２を図面に基づいて詳細に説明する。なお、この実施の形態２では、前述した実施の形態１と同一の部位には同一の符号を付与して、詳細な説明は省略する。図６は、実施の形態２の紐状部材用留め具２０１の正面図である。図７は、図６をＢ−Ｂ線で切断した断面図である。図８は、紐状部材用留め具１に挿通している引出紐２Ｂが対称になるようにまとめる手順を示す説明図である。図９は、留め具本体２１０と留め具従体２２０を係合させる状態を示す説明図である。図１０は、紐状部材用留め具１に挿通している引出紐２Ｂが対称にならないようにまとめた状態を示す説明図である。
【００３７】
実施の形態２の紐状部材用留め具２０１は、実施の形態１の紐状部材用留め具１と同様に、パーカーの衿の締め具合を調節する紐２に取り付けられる紐状部材用留め具である。紐状部材用留め具２０１は、図６に示すように留め具本体２１０と留め具従体２２０とから構成されている。留め具本体２１０と留め具従体２２０の材質や製造方法は、実施の形態１の留め具本体１０と留め具従体２０と同様であるので説明を省略する。留め具本体２１０は、図６に示すように、対称軸Ｌ２を基準に左右対称に形成され、図７に示すように、所定の厚みを有している。
【００３８】
留め具本体２１０には、図６に示すように、留め具従体２２０を収納するための収納部２１１が形成されている。収納部２１１は、留め具本体２１０の下方向側を略台形形状に切り欠いて形成されている。留め具本体２１０には、図６に示すように、収納部２１１の両端に位置するように、紐挿通部２１２ａ、２１２ｂが形成されている。紐挿通部２１２ａ及び紐挿通部２１２ａは、下方向に突出するような形状に形成され、それぞれに貫通孔２１３ａ及び貫通孔２１３ｂが形成されている。貫通孔２１３ａ、２１３ｂは、紐２の外径よりやや小径に形成され、留め具本体２１０が弾性変形することで径が拡がり、紐２を挿通することができる。
【００３９】
貫通孔２１３ａは、図６に示すように、留め具本体２１０の左側側面から収納部２１１にかけて貫通するように形成されている。貫通孔２１３ｂも、貫通孔２１３ａと同様に、留め具本体２１０の右側側面から収納部２１１にかけて貫通するように形成されている。貫通孔２１３ａと貫通孔２１３ｂとは、その中心が同一軸線上に位置するように、それぞれ、紐挿通部２１２ａと紐挿通部２１２ｂに形成されている。
【００４０】
留め具本体２１０は、図６に示すように、上方向側の一部を略矩形形状に切り欠いて係合空間２１４を形成し、その両端に上方向側に突出するように支持部２１５ａ、２１５ｂが形成されている。係合空間２１４の上方向側には、支持部２１５ａから支持部２１５ｂにかけて棒状に延びるように係合棒２１６が形成されている。
【００４１】
図８（ｂ）に示すように、紐２は、貫通孔２１３ａ及び貫通孔２１３ｂに挿通され、留め具本体２１０を基準に輪状の締め紐２Ａと輪状の引出し紐２Ｂを形成する。留め具本体２１０は、図８（ａ）〜（ｃ）に示すように、紐２に沿って移動することができ、紐２の所定の位置で固定することができるため、締め紐２Ａと引出し紐２Ｂの大きさを調節することができる。
【００４２】
図８（ａ）に示すように、留め具本体２１０より引出し紐２Ｂが引き出されていない状態では、締め紐２Ａの輪状が大きくなっている。この状態のとき、衿のサイズが大きくなるため、衿の首回りに対する締め具合が緩くなっている。また、図８（ｂ）に示すように、留め具本体２１０より引出し紐２Ｂが引き出されている状態では、締め紐２Ａの輪状が小さくなる。この状態のとき、衿のサイズが小さくなるため、衿の首回りに対する締め具合がきつくなる。
【００４３】
留め具従体２２０は、図６に示すように、対称軸Ｌ２を基準に左右対称に形成され、図７に示すように、所定の厚みを有している。留め具従体２２０は、図６に示すように、略六角形形状に形成されており、上方向側に被収納部２２１を備え、下方向側に係合鉤部２２２を備えている。被収納部２２１は、収納部２１１に収納できるようにその外形寸法を収納部２１１の内形寸法に合わせて略台形形状に形成されている。
【００４４】
被収納部２２１には、紐２の外径よりやや小径に形成され、留め具従体２２０が弾性変形することで径が拡がり、紐２を挿通することができる貫通孔２２３が１つ形成されている。貫通孔２２３は、図６に示すように、右方向から左方向にかけて被収納部２２１を貫通するように形成されている。貫通孔２２３は、図６及び図８（ａ）に示すように、留め具本体２１０に留め具従体２２０が収納されている状態で、貫通孔２１３ａ及び貫通孔２１３ｂの中心と同一軸線上に位置するように形成されている。
【００４５】
係合鉤部２２２には、図６に示すように、右方向から左方向にかけて貫通するように係合溝部２２４が形成されている。係合鉤部２２２には、図６及び図７に示すように、その表面から係合溝部２２４にかけて切り欠いた切欠部２２５が形成されている。係合鉤部２２２は、弾性変形することで係合棒２１６と係合することができる。
【００４６】
係合溝部２２４の内径は、係合棒２１６の外径と同一又は略同一に形成され、係合溝部２２４の幅寸法は、係合棒２１６の幅寸法と同一又は略同一の幅寸法に形成されている。同様に、切欠部２２５の幅寸法は、係合棒２１６の幅寸法と同一又は略同一の幅寸法に形成されている。係合鉤部２２２は、係合溝部２２４に切欠部２２５が形成されていることにより、図７に示すように、鉤状に形成されている。
【００４７】
図８（ｂ）に示すように、留め具従体２２０は、留め具本体２１０から引き出された引出し紐２Ｂ側に取り付けられる。留め具従体２２０は、図８（ａ）〜（ｃ）に示すように、引出し紐２Ｂの範囲内で紐２に沿って移動することができ、紐２の所定の位置で固定することができる。
【００４８】
〔実施の形態２の紐状部材用留め具２０１の使用方法〕
次に、図８〜１０に基づいて、紐状部材用留め具１の使用方法について説明する。紐状部材用留め具２０１は、紐通し穴１０１に挿通された紐２に取り付けられて使用される（図１参考）。紐状部材用留め具２０１は、貫通孔２１３ａ、貫通孔２１３ｂ及び貫通孔２２３に紐２が挿通されて取り付けられている。
【００４９】
紐状部材用留め具２０１は、図８（ａ）に示すように、収納部２１１に被収納部２２１がまとまりよく収納され、留め具従体２２０が留め具本体２１０に取り付けられている。引出し紐２Ｂは引き出されていない状態であり、締め紐２Ａの輪状が大きくなっている。この状態のとき、衿のサイズが大きくなるため、衿の首回りに対する締め具合が緩くなっている。
【００５０】
使用者が、衿の締め具合を調節して締めようとするとき、まず、一方の手で留め具本体２１０を摘み、他方の手で留め具従体２２０を摘み、収納部２１１から被収納部２２１を離し、留め具従体２２０を留め具本体２１０より引き離す。このとき、図８（ｂ）に示すように、留め具従体２２０と共に紐２を引き出し、引出し紐２Ｂの輪状を大きくする。引出し紐２Ｂの輪状が大きくされると、締め紐２Ａの輪状が小さくなり、衿のサイズが小さくなり、衿の首回りに対する締め付け具合がきつくなる（図示せず）。
【００５１】
留め具従体２２０は、図８（ｂ）に示すように、引出し紐２Ｂ上において留め具本体２１０の真下に位置するように配置する。引出し紐２Ｂが引き出された状態で、図９（ａ）に示すように、切欠部２２５を係合棒２１６に接触させ、係合鉤部２２２を係合棒２１６に押しつける。図９（ｂ）に示すように、所定以上の力で係合鉤部２２２を係合棒２１６に押しつけると、係合鉤部２２２が弾性変形して、切欠部２２５が拡がる。さらに押しつけると、図８（ｃ）及び図９（ｃ）に示すように、係合棒２１６に係合溝部２２２が係合し、係合鉤部２２２の一部が係合空間２１４に挿入される。
【００５２】
図８（ｃ）に示すように、まとめられた引出し紐２Ｂは、紐状部材用留め具２０１を中心に対称に配置された小さい輪状を形成する。紐状部材用留め具２０１は、引出し紐２Ｂを小さくまとめることができるため、紐２が様々なものに絡みにくくなる。なお、図１０に示すように、引出し紐２Ｂが、対称にならないようにまとめても良い。留め具本体２１０から留め具従体２２０と共に紐２を引き出し、引出し紐２Ｂの輪状を大きくする（図８（ｂ）参照）。留め具従体２２０を移動して、図１０（ａ）に示すように、引出し紐２Ｂ上の任意の位置に配置する。
【００５３】
図１０（ｂ）に示すように、引出し紐２Ｂが引き出された状態で、係合溝部２２４を係合棒２１６に係合し、留め具従体２２０を留め具本体２１０に取り付ける。図１０（ｂ）に示すように、引出し紐２Ｂは、大小異なる輪状にまとめられる。このように、紐状部材用留め具１は、使用者の好みに合わせて、引出し紐２Ｂを異なる形状に選択することができ、意匠の選択の幅が広がり、意匠性が向上する。
【００５４】
〔実施の形態３〕
本発明の実施の形態３を図面に基づいて詳細に説明する。なお、この実施の形態３では、前述した実施の形態１と同一の部位には同一の符号を付与して、詳細な説明は省略する。図１１は、実施の形態３の紐状部材用留め具の形態を示す正面図であり、図１１（ａ）は係合状態を示し、図１１（ｂ）は係合解除状態を示す。紐状部材用留め具３０１は、図１１（ａ）に示すように留め具本体３１０と留め具従体３２０とから構成されている。
【００５５】
留め具本体３１０と留め具従体３２０の材質や製造方法は、実施の形態１の留め具本体１０と留め具従体２０と同様であるので説明を省略する。留め具本体３１０には、その一部が穿孔するように雌形の被係止孔３１１ｆが形成されている。留め具従体３２０には、先端が略球形である雄形の係止突起３２０ｍが形成されている。被係止孔３１１ｆと係止突起３２０ｍは、嵌合可能になっていて、被係止孔３１１ｆに係止突起３２０ｍを挿入するときには、被係止孔３１１ｆ、係止突起３２０ｍが所定の力以上で押圧されたとき弾性変形する。
【００５６】
被係止孔３１１ｆと係止突起３２０ｍとは、ともに、軟質な弾性変形可能なシリコーン樹脂で成形されているので、容易に挿入することができる。そして、被係止孔３１１ｆに係止突起３２０ｍが嵌り込んだ状態になると、留め具本体３１０と留め具従体３２０とは、摩擦力、弾性力により相互に保持されて固定される。留め具本体３１０に形成されている貫通孔３１１ａ、３１１ｂは、実施の形態１の貫通孔１１ａ、１１ｂと同様である。
【００５７】
また、留め具従体３２０に形成されている貫通孔３２２は、実施の形態１の貫通孔２２と同様であるため説明は省略する。さらに、実施の形態３の紐状部材用留め具３０１を使用した効果も実施の形態１の紐状部材用留め具１と同様である。つまり、紐状部材用留め具３０１は、引出し紐２Ｂを小さくまとめることができるため、紐２が様々なものに絡みにくくなる（図４及び図５参照）。
【００５８】
以上、本発明の紐状部材用留め具の実施の形態の説明を行ったが、本発明は、この実施の形態に限定されることはない。本発明の目的、趣旨を逸脱しない範囲内で変更ができることはいうまでもない。本実施の形態では、パーカーの衿のサイズを調節する紐状部材に取り付けられている紐状部材用留め具について説明を行なった。しかし、他の衣類や、他の部位に取り付けられたものでも良いことはいうまでもない。
【００５９】
例えば、袖口や裾のサイズを調節する紐状部材に取り付けても良いことはいうまでもない。また、衣類に限らず、携帯音楽プレイヤーのイヤホンのコード等に取り付けられて、引出し紐の調節に使用しても良いことはいうまでもない。さらに、本実施の形態では、留め具本体及び留め具従体は、シリコーン樹脂で説明を行なったが、軟質で弾性変形可能な部材であれば、他の部材でも良いことはいうまでもない。例えば、合成樹脂、エラストマー、ゴムから選択される１種以上で形成されていれば良い。
【符号の説明】
【００６０】
１  …  紐状部材用留め具
２  …  紐
２Ａ  …  締め紐
２Ｂ  …  引出し紐
１０  …  留め具本体
１１  …  貫通孔
１１ｆ  …  係合雌部
２０  …  留め具従体
２０ｍ  …  係合雄部
２１  …  摘まみ部
２２  …  貫通孔
【図１】
2014188172.tif 000003
【図２】
2014188172.tif 000004
【図３】
2014188172.tif 000005
【図４】
2014188172.tif 000006
【図５】
2014188172.tif 000007
【図６】
2014188172.tif 000008
【図７】
2014188172.tif 000009
【図８】
2014188172.tif 000010
【図９】
2014188172.tif 000011
【図１０】
2014188172.tif 000012
【図１１】
2014188172.tif 000013